(57)【要約】【課題】画像形成を高速化する要求を満足させると共に、各種の画像形成動作の補正を誤りなく、効率的に行うことができる画像形成装置を提供する。【解決手段】画像形成装置の画像補正部において、補正部は複数の補正パターンに基づいて画像形成動作を補正する。パターン生成部は補正パターンの静電潜像を感光体上に形成して中間転写体上に転写することにより補正パターンを形成する。パターン検出部はパターン生成部により中間転写体上に形成された補正パターンを検出する。速度検出部は中間転写体上に形成された補正パターンが移動する移動速度を検出する。タイミング保持部はパターン検出部による補正パターンの検出動作を開始するための検出開始タイミングの設定値を算出し、算出した設定値を保持する。補正部は、補正パターンに基づいて画像形成動作の補正を行う前に、速度検出部により検出された移動速度と、タイミング保持部により保持された設定値とに基づいて、検出開始タイミングを決定する。【選択図】図１
2007179008.tif 000002
【特許請求の範囲】
【請求項１】
画像情報を入力し、感光体上に露光させて形成した静電潜像を中間転写体に転写して出力画像を形成する画像形成装置であって、
複数の補正パターンに基づいて画像形成動作を補正する補正手段と、
前記補正パターンの静電潜像を前記感光体上に形成して前記中間転写体上に転写することにより前記補正パターンを形成するパターン生成手段と、
前記パターン生成手段により前記中間転写体上に形成された前記補正パターンを検出するパターン検出手段と、
前記中間転写体上に形成された前記補正パターンが移動する移動速度を検出する速度検出手段と、
前記パターン検出手段による前記補正パターンの検出動作を開始するための検出開始タイミングの設定値を算出し、算出した設定値を保持するタイミング保持手段と
を備え、前記補正手段は、前記補正パターンに基づいて画像形成動作の補正を行う前に、前記速度検出手段により検出された移動速度と、前記タイミング保持手段により保持された前記設定値とに基づいて、前記検出開始タイミングを決定することを特徴とする画像形成装置。
【請求項２】
前記パターン生成手段は、前記補正パターンとして、複数色による画像形成を行う場合における複数色の色ずれを補正する位置合わせ補正パターン、画像形成における各種プロセスのコントロールを補正するプロセスコントロールパターン、及び前記感光体のクリーニングに使用するブレードの機械的捲れを補正するブレード捲れ防止パターンを前記中間転写体に形成することを特徴とする請求項１に記載の画像形成装置。
【請求項３】
前記タイミング保持手段は、前記補正パターンの静電潜像を形成する際に用いられる副走査画像領域信号のアサート時点から該当する補正パターン作像開始までの時間と、前記中間転写体上に形成された前記補正パターンが前記パターン検出手段に到達するまでの到達時間と、前記パターン検出手段の検出開始マージン時間とに基づいて、前記検出開始タイミングの設定値を算出することを特徴とする請求項１に記載の画像形成装置。
【請求項４】
前記タイミング保持手段は、前記補正パターンが露光位置から前期パターン検出手段により検出される位置に到達するまでの時間を、前記画像形成装置の距離情報及び画像形成速度に基づいて算出することを特徴とする請求項１に記載の画像形成装置。
【請求項５】
前記補正手段は、操作者からの画像形成速度の設定入力値を取得し、取得した設定入力値で画像形成速度を更新することを特徴とする請求項１に記載の画像形成装置。
【請求項６】
複数色による画像形成を行う場合に、前記タイミング保持手段は、複数色の感光体上にそれぞれ補正パターンの静電潜像を形成して前記中間転写体に連続的に転写することにより形成された複数の補正パターンのそれぞれについて、前記検出開始タイミングを算出することを特徴とする請求項１に記載の画像形成装置。
【請求項７】
前記タイミング保持手段は、前記感光体上で前記補正パターンの静電潜像の形成を開始する位置から、前記パターン検出手段による前記補正パターンの検出を開始する位置までの距離情報の設定入力値を取得する距離設定手段を有し、前記距離設定手段により取得された距離情報の設定入力値に基づいて、前記検出開始タイミングの設定値を算出することを特徴とする請求項１に記載の画像形成装置。
【請求項８】
前記タイミング保持手段は、前記感光体上で前記補正パターンの静電潜像の形成を開始する位置、前記感光体から前記中間転写体への前記補正パターンの静電潜像の転写を開始する位置、及び前記パターン検出手段による前記補正パターンの検出を開始する位置により分割された前記画像形成装置の距離情報の設定入力値をそれぞれ取得する距離設定手段を有し、前記距離設定手段により取得された距離情報の設定値に基づいて、前記検出開始タイミングの設定値を算出することを特徴とする請求項１に記載の画像形成装置。
【請求項９】
前記補正手段は、前記補正パターンに基づいて画像形成動作の補正を行う前に、前記速度検出手段により検出された移動速度と、予め設定された画像形成速度とが略等しいか否かを判定することを特徴とする請求項１に記載の画像形成装置。
【請求項１０】
前記補正パターンの静電潜像を形成する際に用いられる副走査画像領域信号のアサート時点から該当する補正パターン作像開始までの時間をＴ１とし、前記中間転写体上に形成された前記補正パターンが前記パターン検出手段に到達するまでの到達時間をＴ２とし、前記パターン検出手段の検出開始マージン時間をＴ３とした場合、前記タイミング保持手段は、式：Ｔ＝（Ｔ１＋Ｔ２）−Ｔ３に従って、前記検出開始タイミングの設定値Ｔを算出することを特徴とする請求項３に記載の画像形成装置。
【請求項１１】
画像情報を入力し、感光体上に露光させて形成した静電潜像を中間転写体に転写して出力画像を形成する画像形成装置の画像形成動作を補正する画像形成動作補正方法であって、
複数の補正パターンの静電潜像を前記感光体上に形成して前記中間転写体上に転写することにより前記補正パターンを形成するパターン生成手順と、
前記パターン生成手順により前記中間転写体上に形成された前記補正パターンを検出するパターン検出手順と、
前記中間転写体上に形成された前記補正パターンが移動する移動速度を検出する速度検出手順と、
前記パターン検出手順による前記補正パターンの検出動作を開始するための検出開始タイミングの設定値を算出し、算出した設定値を保持するタイミング保持手順と、
前期パターン検出手順により検出された前記補正パターンに基づいて画像形成動作を補正する補正手順と
を有し、前記補正手順においては、前記補正パターンに基づいて画像形成動作の補正を行う前に、前記速度検出手順により検出された移動速度と、前記タイミング保持手順により保持された前記設定値とに基づいて、前記検出開始タイミングを決定することを特徴とする画像形成動作補正方法。
【請求項１２】
前記補正パターンとして、複数色による画像形成を行う場合における複数色の色ずれを補正する位置合わせ補正パターン、画像形成における各種プロセスのコントロールを補正するプロセスコントロールパターン、及び前記感光体のクリーニングに使用するブレードの機械的捲れを補正するブレード捲れ防止パターンを前記中間転写体に形成することを特徴とする請求項１１記載の画像形成動作補正方法。
【請求項１３】
請求項１１に記載の画像形成動作補正方法をコンピュータに実行させるためのプログラム。
【発明の詳細な説明】
【技術分野】
【０００１】
本発明は、画像形成装置、画像形成動作補正方法、及びその画像形成動作補正方法をコンピュータに実行させるためのプログラムに関し、より詳細には、画像形成に先立ち中間転写体に補正パターンを形成して、その補正パターンを検出することによりカラー画像形成動作を補正する画像形成装置、画像形成動作補正方法、及びその画像形成動作補正方法をコンピュータに実行させるためのプログラムに関する。
【背景技術】
【０００２】
従来、画像形成装置では、一時的に画像形成動作を停止して、画像形成における各種の補正、例えば、位置合わせ補正パターンを用いた色ずれ量の補正を行っていた。この方式では、一時的に画像形成動作を中断することになるため、各種の補正動作を行ってから画像形成動作を再開するまでに余分な時間がかかることになる。そこで、各種の補正動作を行うための停止時間をできるだけ削減して画像形成を高速化しようとする要求が高まっている。
【０００３】
特許文献１には、画像形成動作を停止することなく、各種の補正動作のための複数の補正パターンを中間転写体に連続的に形成し、センサで複数の補正パターンを連続的に検出することによって、停止時間を削減する技術が提案されている。特許文献１の技術によれば、中間転写体上に、プロセスコントロールパターン、ブレード捲れ防止パターン、位置合わせ補正パターンなど検出すべき複数の補正パターンが互いに近接して形成されるため、形成された複数の補正パターンを正確に区別して読みだす必要があった。
【特許文献１】特開２００５−９１９０１号公報
【発明の開示】
【発明が解決しようとする課題】
【０００４】
しかしながら、特許文献１の技術においては、中間転写体から複数の補正パターンをセンサで検出する開始タイミングとして、所定の経過時間を予め設定していた。そのため、画像形成速度、画像形成距離の変更等の種々の変化が発生した場合、センサによる補正パターンの検出開始位置がずれてしまい、補正パターンをセンサで正確に検出できないという問題があった。
【０００５】
すなわち、複数の補正パターンを中間転写体上に連続的に形成するため、例えば、ブレード捲れ防止パターンと位置合わせ補正パターンとの間隔は必然的に極めて小さくなる。このため、センサの取り付け位置が若干ずれたり、取り付け位置を微調整した場合や、画像形成速度が上がった場合などに、本来ならば位置合わせ補正パターンを検出すべきところを、ブレード捲れ防止パターンを誤って検出してしまう問題が生じていた。あるいは、画像形成速度が上がった場合に、位置合わせ補正パターンの一部を読み取れずに、読み飛ばしてしまうなどの問題が生じていた。このため、結果的に色ずれ補正動作の失敗や、色ずれ量の誤補正が生じてしまい、出力画像の品質に悪影響が出てしまうという問題があった。
【０００６】
これらの問題は、ブレード捲れ防止パターンと位置合わせ補正パターンとの間隔が極めて小さいことに起因しているため、これらの補正パターンを形成する間隔を広げることで解消することも技術的には可能と考えられるが、その場合、画像形成の高速化要求とは逆行してしまうため、現実的な対処方法とはいえなかった。
【０００７】
本発明は、上記の点に鑑みてなされたものであり、画像形成を高速化する要求を満足させると共に、各種の画像形成動作の補正を誤りなく、効率的に行うことができる画像形成装置を提供することを目的とする。
【課題を解決するための手段】
【０００８】
上記課題を解決するために、本発明の画像形成装置は、画像情報を入力し、感光体上に露光させて形成した静電潜像を中間転写体に転写して出力画像を形成する画像形成装置であって、複数の補正パターンに基づいて画像形成動作を補正する補正手段と、前記補正パターンの静電潜像を前記感光体上に形成して前記中間転写体上に転写することにより前記補正パターンを形成するパターン生成手段と、前記パターン生成手段により前記中間転写体上に形成された前記補正パターンを検出するパターン検出手段と、前記中間転写体上に形成された前記補正パターンが移動する移動速度を検出する速度検出手段と、前記パターン検出手段による前記補正パターンの検出動作を開始する検出開始タイミングの設定値を算出し、算出した設定値を保持するタイミング保持手段とを備え、前記補正手段は、前記補正パターンに基づいて画像形成動作の補正を行う前に、前記速度検出手段により検出された移動速度と、前記タイミング保持手段により保持された前記設定値とに基づいて、前記検出開始タイミングを決定することを特徴とする。
【０００９】
上記の画像形成装置は、前記パターン生成手段が、前記補正パターンとして、複数色による画像形成を行う場合における複数色の色ずれを補正する位置合わせ補正パターン、画像形成における各種プロセスのコントロールを補正するプロセスコントロールパターン、及び前記感光体のクリーニングに使用するブレードの機械的捲れを補正するブレード捲れ防止パターンを前記中間転写体に形成する構成とすることができる。
【００１０】
また、上記の画像形成装置は、前記タイミング保持手段が、前記補正パターンの静電潜像を形成する際に用いられる副走査画像領域信号のアサート時点から該当する補正パターン作像開始までの時間と、前記中間転写体上に形成された前記補正パターンが前記パターン検出手段に到達するまでの到達時間と、前記パターン検出手段の検出開始マージン時間とに基づいて、前記検出開始タイミングの設定値を算出する構成とすることができる。
【００１１】
また、上記の画像形成装置は、前記タイミング保持手段が、前記補正パターンが露光位置から前期パターン検出手段により検出される位置に到達するまでの時間を、前記画像形成装置の距離情報及び画像形成速度に基づいて算出する構成とすることができる。
【００１２】
また、上記の画像形成装置は、前記補正手段が、操作者からの画像形成速度の設定入力値を取得し、取得した設定入力値で画像形成速度を更新する構成とすることができる。
【００１３】
また、上記の画像形成装置は、複数色による画像形成を行う場合に、前記タイミング保持手段が、複数色の感光体上にそれぞれ補正パターンの静電潜像を形成して前記中間転写体に連続的に転写することにより形成された複数の補正パターンのそれぞれについて、前記検出開始タイミングの設定値を算出する構成とすることができる。
【００１４】
また、上記の画像形成装置は、前記タイミング保持手段が、前記感光体上で前記補正パターンの静電潜像の形成を開始する位置から、前記パターン検出手段による前記補正パターンの検出を開始する位置までの距離情報の設定入力値を取得する距離設定手段を有し、前記距離設定手段により取得された距離情報の設定入力値に基づいて、前記検出開始タイミングの設定値を算出する構成とすることができる。
【００１５】
また、上記の画像形成装置は、前記タイミング保持手段が、前記感光体上で前記補正パターンの静電潜像の形成を開始する位置、前記感光体から前記中間転写体への前記補正パターンの静電潜像の転写を開始する位置、及び前記パターン検出手段による前記補正パターンの検出を開始する位置により分割された前記画像形成装置の距離情報の設定入力値をそれぞれ取得する距離設定手段を有し、前記距離設定手段により取得された距離情報の設定値に基づいて、前記検出開始タイミングを算出する構成とすることができる。
【００１６】
また、上記の画像形成装置は、前記補正手段が、前記補正パターンに基づいて画像形成動作の補正を行う前に、前記速度検出手段により検出された移動速度と、予め設定された画像形成速度とが略等しいか否かを判定する構成とすることができる。
【００１７】
また、上記の画像形成装置は、前記補正パターンの静電潜像を形成する際に用いられる副走査画像領域信号のアサート時点から該当する補正パターン作像開始までの時間をＴ１とし、前記中間転写体上に形成された前記補正パターンが前記パターン検出手段に到達するまでの到達時間をＴ２とし、前記パターン検出手段の検出開始マージン時間をＴ３とした場合、前記タイミング保持手段が、式：Ｔ＝（Ｔ１＋Ｔ２）−Ｔ３に従って、前記検出開始タイミングの設定値Ｔを算出する構成とすることができる。
【００１８】
また、上記課題を解決するために、本発明の画像形成動作補正方法は、画像情報を入力し、感光体上に露光させて形成した静電潜像を中間転写体に転写して出力画像を形成する画像形成装置の画像形成動作を補正する画像形成動作補正方法であって、複数の補正パターンの静電潜像を前記感光体上に形成して前記中間転写体上に転写することにより前記補正パターンを形成するパターン生成手順と、前記パターン生成手順により前記中間転写体上に形成された前記補正パターンを検出するパターン検出手順と、前記中間転写体上に形成された前記補正パターンが移動する移動速度を検出する速度検出手順と、前記パターン検出手順による前記補正パターンの検出動作を開始するための検出開始タイミングの設定値を算出し、算出した設定値を保持するタイミング保持手順と、前期パターン検出手順により検出された前記補正パターンに基づいて画像形成動作を補正する補正手順とを有し、前記補正手順は、前記補正パターンに基づいて画像形成動作の補正を行う前に、前記速度検出手順により検出された移動速度と、前記タイミング保持手順により保持された前記設定値とに基づいて、前記検出開始タイミングを決定することを特徴とする。
【００１９】
上記の画像形成動作補正方法は、前記補正パターンとして、複数色による画像形成を行う場合における複数色の色ずれを補正する位置合わせ補正パターン、画像形成における各種プロセスのコントロールを補正するプロセスコントロールパターン、及び前記感光体のクリーニングに使用するブレードの機械的捲れを補正するブレード捲れ防止パターンを前記中間転写体に形成する構成とすることができる。
【００２０】
さらに、上記課題は、上記の画像形成動作補正方法をコンピュータに実行させるためのプログラムにより解決することができる。
【発明の効果】
【００２１】
本発明の画像形成装置及び画像形成動作補正方法によれば、中間転写体上に形成された補正パターンの移動速度を検出して、検出した移動速度に基づいて、中間転写体から補正パターンを検出する検出開始タイミングを高精度に決定するので、補正パターンを正確に検出し、各種の補正動作を誤りなく、効率的に行うことができる。従って、本発明の画像形成装置及び画像形成動作補正方法によれば、高画質な画像を形成することができる。
【発明を実施するための最良の形態】
【００２２】
以下、添付の図面を用いて本発明の実施の形態を説明する。
【００２３】
図１は、本発明の一実施形態に係る画像形成装置の機能的構成を示すブロック図である。図１に示すように、画像形成装置は、画像形成部１及び画像補正部１０を備える。
【００２４】
画像形成部１は、画像情報を入力し、感光体上に露光させて形成した静電潜像を中間転写体に転写して出力画像を形成する。画像補正部１０は、画像形成部１が画像を形成する際の画像形成動作に対し、各種の補正を行う。
【００２５】
画像補正部１０は、パターン生成部１１、タイミング保持部１２、パターン検出部１３、及び補正部１４を有する。画像補正部１０において、パターン生成部１１は、画像形成部１の画像形成動作に対する各種の補正動作に対応する、複数の補正パターンの静電潜像を画像形成部１の感光体上に形成し、中間転写体上に転写することにより複数の補正パターンを形成する。
【００２６】
パターン検出部１３は、パターン生成部１１により中間転写体上に形成された補正パターンを検出する。タイミング保持部１２は、パターン検出部１３が補正パターンを検出する動作を開始するための検出開始タイミングの設定値を算出し、算出した設定値をメモリに保持する。タイミング保持部１２は、各補正パターンの静電潜像を感光体上に形成する動作を開始する時点から、中間転写体上に形成された各補正パターンがパターン検出部１３により検出される位置に到達する時点までの時間に基づいて、検出開始タイミングの設定値を算出する。
【００２７】
パターン検出部１３は、タイミング保持部１２により保持された検出開始タイミングの設定値に従って、複数のパターンを検出する動作を開始させる。補正部１４は、パターン検出部１３により検出される複数の補正パターンに基づいて、画像形成部１の画像形成動作を補正する。補正部１４は、中間転写体上に形成された複数の補正パターンが移動する移動速度を検出する速度検出部を有する。補正部１４は、複数の補正パターンに基づいて画像形成動作の補正を行う前に、速度検出部により検出された移動速度と、タイミング保持部１２により保持された設定値とに基づいて、補正パターンの検出開始タイミングを決定する。
【００２８】
このように、タイミング保持部１２は、感光体上に補正パターンを静電潜像で形成する時点から実際の中間転写体上での検出開始時点までの時間に基づいて検出開始タイミングを算出し、その設定値を保持する。補正部１４は、速度検出部により検出された補正パターンの移動速度と、タイミング保持部１２により保持された設定値とに基づいて、検出開始タイミングを決定する。従って、中間転写体上に連続して形成された複数の補正パターンを検出する場合でも、正確に該当する補正パターンを検出し、各種の補正動作を誤りなく、効率的に行うことができる。従って、この実施形態の画像形成装置によれば、高画質な画像を形成することができる。
【００２９】
図２は、本発明の一実施形態に係る画像形成装置に設けた画像形成部１の構成を示す図である。この画像形成装置は、中間転写体を採用したタンデム方式のカラー画像形成装置の一例である。
【００３０】
画像形成部１は、４つの感光体ドラム１１０Ｙ、１１０Ｍ、１１０Ｃ、１１０Ｋと、各感光体ドラム上に形成した静電潜像を互いに異なる色のトナー像にそれぞれ現像する複数の現像装置１１２Ｙ、１１２Ｍ、１１２Ｃ、１１２Ｋと、異なる色のトナー像がそれぞれ重ね合わせ状態に一次転写される像担持体としての中間転写ベルト１１６とを備えている。中間転写ベルト１１６は、図２の矢印Ａによって示される回転方向に回転して移動する無端状のベルトである。
【００３１】
イエロー、シアン、マゼンダ、ブラック（Ｙ、Ｃ、Ｍ、Ｋ）の各色用の４つの感光体ドラム１１０は、中間転写ベルト１１６の下部側に回転方向Ａに沿って、並列してそれぞれ配置されている。
【００３２】
各感光体ドラム１１０の周囲には、帯電装置１１１と、現像装置１１２と、一次転写装置を構成する一次転写ローラ１１３と、クリーニング装置１１４がそれぞれ配設されている。各感光体ドラム１１０は、図２の矢印Ｂによって示される回転方向に回転駆動される。このとき帯電装置１１１によって感光体ドラム１１０の表面が所定の極性に帯電される。次いで、この帯電面に露光装置１１５から出射されるレーザ光が照射され、これによって感光体ドラム１１０上に静電潜像が形成され、その静電潜像が現像装置１１２によって各色のトナー像として可視像化される。
【００３３】
各感光体ドラム１１０に対向させて、一次転写ローラ１１３がそれぞれ配設されている。一次転写ローラ１１３と感光体ドラム１１０との間には中間転写ベルト１１６が挟まれた状態で回動するようになっている。
【００３４】
中間転写ベルト１１６は、複数の支持ローラ１１７〜１２０によって支持されている。中間転写ベルト１１６の表面に、各感光体ドラム１１０に可視像化されたトナー像が、一次転写ローラ１１３の作用によって転写される。このように、イエロー、シアン、マゼンタ、ブラックのトナー像が、中間転写ベルト１１６上に正確に順次重ね合わせた状態で転写され、フルカラーの合成カラー画像が形成される。
【００３５】
支持ローラ１２０の回転軸（従動軸）にはロータリエンコーダ２８０が取り付けてある。ロータリエンコーダ２８０は、支持ローラ１２０の回転に同期して回動され、中間転写ベルト１１６の移動速度を検出する。このロータリエンコーダ２８０は、プロセスコントロール制御を実行する際に用いられると共に、中間転写ベルト１１６上に形成された補正パターンの移動速度を検出する速度検出部として機能する。
【００３６】
なお、この速度検出部としては、ロータリエンコーダ２８０に限定されるものではなく、直接中間転写ベルト１１６に取り付けられ、中間転写ベルト１１６の移動速度を検出するセンサ等で構成することもできる。
【００３７】
一方、中間転写ベルト１１６を挟んで、支持ローラ１１７に対向して二次転写ローラ１２１が配設されている。給紙ユニット１２２から記録媒体である転写紙Ｐが給紙されると、転写紙Ｐがレジストローラ対１２３の回転によって所定のタイミングで、矢印Ｃにより示されるように、支持ローラ１１７と二次転写ローラ１２１の間に送り込まれる。このとき、中間転写ベルト１１６に担持されている合成カラー画像が二次転写ローラ１２１により転写紙Ｐに転写される。転写紙Ｐ上のトナー像が、定着装置１２４により熱と圧力によって定着される。転写紙Ｐは、図示しない排紙トレイ上に排出される。トナー像の二次転写後に、中間転写ベルト１１６の表面に付着して残っているトナーは、クリーニング装置１２５によって除去される。
【００３８】
検知センサユニット１２６は、中間転写ベルト１１６上に形成される各種の補正パターンを検出することができるように、中間転写ベルト１１６上に配設される。
【００３９】
図３は、中間転写ベルトに形成された補正パターンを検知センサユニットで検出する様子を示す図である。中間転写ベルト１１６には、プロセスコントロールパターン３４０、ブレード捲れ防止パターン３６０、及び位置合わせ補正パターン３７０からなる複数の補正パターンが、連続的に形成されている。すなわち、図３の例では、３つの連続する、中間転写ベルト１１６のパターン形成領域Ｒ１、Ｒ２、Ｒ３にそれぞれ、プロセスコントロールパターン３４０、ブレード捲れ防止パターン３６０、及び位置合わせ補正パターン３７０が連続的に形成される。パターン形成領域Ｒ３の位置合わせ補正パターン３７０は、副走査方向位置合わせ補正パターン３７０ａと、主走査方向位置合わせ補正パターン３７０ｂとを有する。
【００４０】
前述したように、複数の補正パターンを中間転写ベルト１１６上に連続的に形成するため、ブレード捲れ防止パターン３６０と位置合わせ補正パターン３７０の間隔（すなわち、形成領域Ｒ２とＲ３の間隔）は必然的に極めて小さくなる。このため、従来の画像形成装置では、センサの取り付け位置が若干ずれたり、取り付け位置を微調整した場合や、画像形成速度が上がった場合などに、本来ならば位置合わせ補正パターン３７０を検出すべきところを、ブレード捲れ防止パターン３６０を誤って検出してしまう問題が生じていた。あるいは、画像形成速度が上がった場合に、位置合わせ補正パターン３７０の一部を読み取れずに、読み飛ばしてしまうなどの問題が生じていた。このため、結果的に色ずれ補正動作の失敗や、色ずれ量の誤補正が生じてしまい、出力画像の品質に悪影響が出てしまうという問題があった。
【００４１】
上記の通り、本発明の画像形成装置は、この問題を解消するために、位置合わせ補正パターン３７０の検出開始タイミングを正確に決定するように構成されている。
【００４２】
検知センサユニット１２６には、プロセスコントロール用パターンを検出するためのセンサ３２２、３２３、３２４、３２５が配設される。センサ３２２、３２３、３２４、３２５は、各色で並列に形成されるパターンＫＰ、ＣＰ、ＭＰ、ＹＰの検出を行う。補正部１４は、検出したプロセスコントロールパターン３４０の濃度を含む情報に基づいて各種のプロセスコントロールを行う。
【００４３】
検知センサユニット１２６には、位置合わせ補正パターン検出センサ３１６、３１７、３１８が、主走査方向に沿って配設されている。位置合わせ補正パターン検出センサ３１６、３１７、３１８は、３箇所で対応する位置合わせ補正パターンＫＭ１ｘ、ＣＭ１ｘ、ＭＭ１ｘ、ＹＭ１ｘ、ＫＭ２ｘ、ＣＭ２ｘ、ＭＭ２ｘ、ＹＭ２ｘ、ＫＭ３ｘ、ＣＭ３ｘ、ＭＭ３ｘ、ＹＭ３ｘの検出を行う。
【００４４】
補正部１４は、プロセスコントロールの補正を行う際には、パターン検出部１３による補正パターンの検出結果を基づいて所定の演算を行い、帯電、現像、転写等のプロセス条件を変更する。
【００４５】
補正部１４は、位置合わせ補正を行う際には、基準色（この場合Ｋ）に対するスキュー、副走査レジストずれ、主走査レジストずれ、主走査倍率誤差の計測が可能であり、各センサで検出された最大の位置ずれ量の１／２だけ、位置ずれ方向と逆向きに画像をシフトさせることにより、主走査方向の倍率偏差によるずれ量を目立たないように補正することが可能となる。
【００４６】
補正部１４は、位置合わせ補正パターン検出センサ３１６、３１７、３１８が、３点を計測することにより走査線曲がり（湾曲）も合わせて検出するため、副走査レジスト補正を最適化することが出来る。
【００４７】
補正部１４による各種のずれ量、補正量の算出及び補正の実行命令は、ＣＰＵ（後述する図４のＣＰＵ４４５参照）により行われる。
【００４８】
このような補正部１４による位置合わせ補正及びプロセスコントロール補正は、画像形成装置のユーザーメニュー、サービスメニューまたはプリンタドライバからの指示により実行するか、もしくは所定の実行判定条件（例えば、電源ＯＮ時、積算プリント枚数や図示しない装置内の個所の温度上昇等）により自動的に実行される。
【００４９】
図４は、補正部１４の構成を示すブロック図である。図４を参照しながら、補正部１４によるプロセスコントロール制御、及び位置合わせ補正制御の動作を説明する。
【００５０】
プロセスコントロールパターン検出センサ３２２、３２３、３２４、３２５の検出電圧は、入出力インターフェース（Ｉ／Ｏ＿Ｉ／Ｆ）４３０を介してマルチプレクサ４３１に入力される。マルチプレクサ４３１、Ａ／Ｄコンバータ４３２は制御回路４３３により、補正パターン形成中にのみセンサチャネルの選択及びＡ／Ｄ変換動作を行うように制御され、Ａ／Ｄ変換後のデジタルデータはレジスタ４３４に格納される。ＣＰＵ４４５は得られたデータにより、帯電、現像、転写等のプロセス条件を変更する。
【００５１】
位置合わせ補正パターン検出センサ３１６、３１７、３１８の検出電圧は、入出力インターフェース４３０を介しマルチプレクサ４３５に入力される。
【００５２】
マルチプレクサ４３５、Ａ／Ｄコンバータ４３６は制御回路４３７により、パターン形成中にのみセンサチャネルの選択及びＡ／Ｄ変換動作を行うように制御され、得られたデジタルデータはデマルチプレクサ４３８に入力される。
【００５３】
デマルチプレクサ４３８は、センサチャネル各々に用意されたＬＰＦ回路（ローパスフィルタ、即ちデジタルフィルタ回路であり積分演算回路である）４３９、４４０、４４１のどのセンサチャネルに変換されたデジタルデータを出力するかを選択する。
【００５４】
ＬＰＦ回路４３９、４４０、４４１は、高周波成分をカットし、より正確に後段回路によりパターン位置を認識できるようにする。ＬＰＦ回路の後段のエッジ検出回路４４２、４４３、４４４では、検出電圧波形を所定のスレッシュ電圧と比較し、立下り／立上りのポイントを抽出し、その中央をパターン中央位置と認識し、レジスタ４３４に格納する。
【００５５】
レジスタ４３４に格納されたデータをもとに、ＣＰＵ４４５はＲＯＭ４４６に格納されているプログラムに従って、ＲＡＭ４４７にデータ格納を行いながら、プロセス条件の変更演算、設定及び位置合わせ演算、設定を行う。設定は入出力インターフェース４３０を介し、書き込み制御部及びプロセス装置へと行われる。入出力インターフェース４３０、ＲＯＭ４４６、ＲＡＭ４４７はそれぞれアドレスバス４４８及びデータバス４４９により接続されている。
【００５６】
また、ＣＰＵ４４５は、レジスタ４３４の設定値を変更することにより、サンプリングスタート／ストップ、Ａ／Ｄ変換を行うセンサチャネルの切り替え等の動作を制御回路４３３、４３７により行っている。
【００５７】
ここで、レジスタ４３４の設定値を変更することにより、ＬＰＦ回路４３９、４４０、４４１のカットオフ周波数の変更を行っている。
【００５８】
また、レジスタ４３４の設定値を変更することにより、エッジ検出回路４４２、４４３、４４４のスレッシュ電圧の設定を行っている。
【００５９】
位置合わせ制御において、ハードウェアで行う演算処理とは、図４に示すように、ＬＰＦ回路（デジタルフィルタ回路）４３９、４４０、４４１が、積分演算処理を行う。
【００６０】
エッジ検出回路４４２、４４３、４４４によるセンサ出力電圧（Ａ／Ｄ変換及びフィルタ処理後）とスレッシュ電圧との比較を行い、スレッシュ電圧を最初に下回ったポイントを立下りポイント（パターンのエッジ部１）と認識し、次にスレッシュ電圧を最初に上回ったポイントを立ち上がりポイント（パターンのエッジ部２）と認識し、その中央をパターン中央位置として認識する。
【００６１】
図５は、副走査画像形成動作のタイミングチャート図である。ここで、タイミング保持部１２は、位置合わせ補正パターンを含む複数の補正パターンのそれぞれが露光位置から補正パターン検出センサに到達するまでの時間を、距離と画像形成速度に基づいて算出する。
【００６２】
例えば、タイミング保持部１２は、位置合わせ補正パターンＹが感光体への露光位置から位置合わせ補正パターン検出センサ１２６に到達するまでの到達時間を、下記の式１に示すように算出する。
（位置合わせ補正パターンの到達時間）＝（ａ１＋ｂ＋ｃ＋ｄ＋ｅ）÷ｆ    （式１）
例えば、画像形成部１の構成に基づく距離情報と画像形成速度は、一例として、次のように設定される。
ａ１：Ｙ露光位置２０１〜Ｙ中間転写位置２０５までの距離：５０ｍｍ
ａ２：Ｃ露光位置２０２〜Ｃ中間転写位置２０６までの距離：５０ｍｍ
ａ３：Ｍ露光位置２０３〜Ｍ中間転写位置２０７までの距離：５０ｍｍ
ａ４：Ｋ露光位置２０４〜Ｋ中間転写位置２０８までの距離：５０ｍｍ
ｂ：Ｙ中間転写位置２０５〜Ｃ中間転写位置２０６までの距離：１１０ｍｍ
ｃ：Ｃ中間転写位置２０６〜Ｍ中間転写位置２０７までの距離：１１０ｍｍ
ｄ：Ｍ中間転写位置２０７〜Ｋ中間転写位置２０８までの距離：１１０ｍｍ
ｅ：Ｋ中間転写位置２０８〜位置合わせ補正パターン検出センサ位置２０９までの距離：
１０５ｍｍ
ｆ：画像形成速度（感光体、中間転写ベルトの移動線速度）：２０５ｍｍ／ｓｅｃ
この例では、主に位置合わせ補正パターン検出を例に挙げて説明しているが、本発明に係る補正パターンの検出開始タイミングの算出は、特に位置合わせ補正パターンのみに限られるものではなく、中間転写体上に形成される複数の補正パターンのそれぞれの検出開始タイミングの算出について適用できるものである。
【００６３】
図５に示されたタイミングチャートは、連続印刷時のタイミングを示し、ページＮ、ページＮ＋１、ページＮ＋２を形成する場合のものである。各色の副走査画像領域信号Ｙ＿ＦＧＡＴＥ＿Ｎ、Ｃ＿ＦＧＡＴＥ＿Ｎ、Ｍ＿ＦＧＡＴＥ＿Ｎ、Ｋ＿ＦＧＡＴＥ＿Ｎが、概ねそれぞれの感光体同士の間隔を中間転写ベルト１１６が移動する時間に相当する時間間隔をおいて順次アクティブとなり、画像形成が可能になる。
【００６４】
各色のＦＧＡＴＥ信号はＳＴＴＲＩＧ信号を基準として順次生成される。
【００６５】
ここで、位置合わせ補正処理において、上記の実行判定を行った結果、ページＮを印刷し終わった後に各種補正を行う判定がなされた場合について説明する。ページＮ＋１のＦＧＡＴＥアサートタイミングでプロセスコントロールパターン３４０、ブレード捲れパターン３６０、色合わせ補正パターン３７０の作像準備を行う。ここで作像準備とは、各パターンのγ設定や書き出し開始時間の各種設定などのことをさす。
【００６６】
ページＮ＋１の画像が中間転写され、二次転写で転写紙Ｐに転写された後に二次転写を離間させる。転写紙Ｐを離間させるのは、ページＮ＋１の後に来るパターンが二次転写ローラに転写されることを防止するためである。
【００６７】
この例では、プロセスコントロールパターン３４０、ブレード捲れパターン３６０、及び位置合わせ補正パターン３７０が順次作像される。なお、二次転写ローラが離間される前にプロセスコントロールパターン３４０、ブレード捲れパターン３６０、及び位置合わせ補正パターン３７０の作像を開始してもよいが、二次転写ローラの離間時の衝撃の影響を避けるため、二次転写ローラの離間後にプロセスコントロールパターン３４０、ブレード捲れパターン３６０、及び位置合わせ補正パターン３７０の作像を開始することが望ましい。これは、二次転写ローラの離間時には、中間転写ベルトの移動速度の乱れなどの衝撃が発生する場合が考えられるからである。
【００６８】
位置合わせ補正パターンを含む複数の補正パターンの検出開始タイミングＴは、下記の式２に示すように、ページＮ＋１の副走査画像領域信号（ＦＧＡＴＥ信号）のアサート時点から該当する補正パターン作像開始までの時間Ｔ１と、中間転写ベルト１６上に形成された該当する補正パターンが検知センサユニット１２６に到達するまでの到達時間Ｔ２と、検知センサユニット１２６の検出開始マージン時間Ｔ３とに基づいて算出される。
（検出開始タイミングの設定値Ｔ）＝（ＦＧＡＴＥ信号アサート時点から補正パターン作像開始までの時間Ｔ１）＋（補正パターン到達時間Ｔ２）−（検出開始マージン時間Ｔ３）（式２）
ここで、Ｙ位置合わせ補正パターンの検出開始タイミングを算出する場合、式２におけるＴ１、Ｔ２、Ｔ３は、図５のタイミングチャートに矢印で図示した各時間にそれぞれ対応する。
【００６９】
画像補正部１０が画像形成動作補正手順の開始命令を受け付けると、サンプリングを開始し複数の補正パターンの検出を開始する。複数の補正パターンの読み取りが全て終了すると、検出結果をレジスタに反映する。二次転写ローラを当接させて、ページＮ＋２の作像準備を開始する。
【００７０】
タイミング保持部１２は、上記の式１及び式２により算出した検出開始タイミングＴを検出開始タイミングの設定値として、ＲＡＭ４４７等のメモリに保持する。この検出開始タイミングの設定値は、検知センサユニット１２６による、位置合わせ補正パターンを含む複数の補正パターン検出のサンプリングを開始させる開始タイミングの設定値として使用される。
【００７１】
パターン検出部１３は、パターン生成部１１により中間転写ベルト１１６上に形成された補正パターンを検知センサユニット１２６で検出する。
【００７２】
速度検出部は、ロータリエンコーダ２８０等により構成され、中間転写ベルト１１６上に形成された補正パターンが移動する移動速度を検出する。この移動速度は、通常、上記の式１に含まれる、感光体及び中間転写ベルト１１６に係る移動速度である画像形成速度ｆと略等しいと考えることができる。
【００７３】
補正部１４は、速度検出部により検出された移動速度と、タイミング保持部１２により保持された検出開始タイミングの設定値とに基づいて、パターン検出部１３が中間転写ベルト１１６上に形成された補正パターンを検出する検出動作を開始するための検出開始タイミングを決定する。補正部１４は、パターン検出部１３が検出した補正パターンに基づいて、画像形成部１の画像形成動作に対する各種の補正を行う。
【００７４】
図６は、本発明の一実施形態に係る画像形成動作補正方法を説明するためのフローチャートである。
【００７５】
パターン生成部１１は、位置合わせ補正パターンを含む、複数の補正パターンの静電潜像を感光体上に形成し中間転写体上に転写することにより、中間転写体上に複数の補正パターンを形成する。即ち、レーザユニット１１５が感光体１１０上に補正パターンに基づくレーザ光を照射して静電潜像を形成し、現像装置１１２が各色ごとにトナー現像を行って中間転写ベルト１１６に補正パターンを転写することによって中間転写ベルト１１６に補正パターンを形成する（ステップＳ１１）。
【００７６】
ロータリエンコーダ２８０が中間転写ベルト１１６上に形成した補正パターンが移動する移動速度を検出し、補正部１４はロータリエンコーダ２８０により検出された移動速度を取得する（ステップＳ１２）。
【００７７】
タイミング保持部１２は、予め設定された所定の画像形成速度ｆをメモリから読み出し、画像形成部１の構成に基づく距離情報とから、位置合わせ補正パターンを含む複数の補正パターンの検出開始タイミングを算出し、算出した値を各補正パターンの検出開始タイミングの設定値としてＲＡＭ４４７に保持する（ステップＳ１３）。複数の補正パターンの検出開始タイミングの算出は、上記の式１及び式２を用いて行うことができる。
【００７８】
次に、補正部１４は、ロータリエンコーダ２８０により検出された移動速度と、メモリから読み出した所定の画像形成速度ｆとを比較して両者が略等しいかどうか（すなわち、両者の速度差が所定の範囲内であるかどうか）を判定する（ステップＳ１４）。
【００７９】
両者が略等しいと判定した場合には、検知センサユニット１２６の取り付け位置のずれや微調整が生じていない（すなわち、画像形成速度の増減が発生していない）と判断できる。この場合、補正部１４は、ステップＳ１３で保持した設定値が正確な検出開始タイミングであると最終的に決定する。パターン検出部１３は、上記ステップＳ１３で保持した検出開始タイミングの設定値に従い、検知センサユニット１２６で中間転写ベルト１１６に形成した補正パターンを検出する（ステップＳ１５）。
【００８０】
次に、補正部１４は、パターン検出部１３によって検出された補正パターンに基づいて、画像形成動作の補正を行う。ここでは、色ずれ補正処理、ブレード捲れ防止処理、及びプロセスコントロール補正処理を行う（ステップＳ１６）。
【００８１】
一方、ステップＳ１４で、検出された移動速度と、メモリから読み出した所定の画像形成速度ｆとが不一致であると判定した場合、検知センサユニット１２６の取り付け位置のずれや微調整が生じている（すなわち、画像形成速度の増減が発生している）と判断できる。この場合、パターン検出部１３は補正パターンの検出を行わない。補正部１４は、検出された移動速度と画像形成速度ｆとが不一致であることを示すメッセージ（表示情報）を操作表示部（図７の操作表示部２２２０参照）に出力すると共に、操作者からの選択入力（例えば、画像形成速度ｆの更新の要否）を要求する（ステップＳ１７）。
【００８２】
次に、補正部１４は、操作者からの選択入力を操作表示部から取得する（ステップＳ１８）。操作者が画像形成速度ｆの更新が必要であることを示す選択入力をした場合、補正部１４は、さらに操作者からの設定入力（例えば、変更すべき画像形成速度ｆの値）を操作表示部を介して要求し、操作者からの設定入力を操作表示部から取得する。そして、補正部１４は、ＲＯＭ４４６等のメモリ内の所定の領域に変更すべき画像形成速度ｆの値を書き込むことにより、画像形成速度ｆの更新を行った後、処理を終了する。
【００８３】
一方、ステップＳ１８で操作者が画像形成速度ｆの更新が不要であることを示す選択入力をした場合、補正部１４は、画像形成速度ｆの更新を行わずに処理を終了する。
【００８４】
以上説明したように、タイミング保持部１２は、感光体上に補正パターンを静電潜像で形成する時点から実際の中間転写ベルト１１６上での検出開始時点までの時間に基づいて検出開始タイミングの設定値を算出し、その設定値を保持する。補正部１４は、速度検出部により検出された補正パターンの移動速度と、タイミング保持部１２により保持された設定値とに基づいて、検出開始タイミングを決定する。従って、本発明の画像形成装置によれば、中間転写体上に連続して形成された複数の補正パターンを検出する場合でも、正確に該当する補正パターンを読み取ってそれぞれの補正動作を正確に行うことができるので、高画質な画像を形成することができる。
【００８５】
本発明の画像形成装置において、パターン生成部１１は、複数の補正パターンとして、複数色による画像形成を行う場合の複数色の色ずれ補正パターン、画像形成における各種プロセスのコントロールを補正するプロセスコントロールパターン、及び潜像形成部におけるブレードの機械的捲れを補正するブレード捲れ防止パターンを形成する構成とすることができる。補正部１４は、速度検出部により検出された補正パターンの移動速度と、タイミング保持部１２により保持された設定値とに基づいて、検出開始タイミングを決定する。このため、中間転写ベルト１１６上に色ずれ補正パターン、プロセスコントロールパターン、及びブレード捲れ防止パターンなどが連続して形成された場合にも、それぞれの補正パターンを正確に読み取ってそれぞれの補正動作を行うことができる。
【００８６】
また、補正部１４は、操作者からの画像形成速度の設定入力値を取得し、取得した設定入力値で画像形成速度を更新する構成とすることができる。このため、検知センサユニット１２６の取り付け位置のずれや微調整が生じている場合にも、速度検出部による補正パターンの移動速度の検出値と、更新後の画像形成速度の設定値を一致させることにより、それぞれの補正パターンを正確に読み取ってそれぞれの補正動作を行うことができる。
【００８７】
また、複数色による画像形成を行う場合に、タイミング保持部１２は、複数色の感光体ドラム１１０Ｙ−１１０Ｋ上にそれぞれ補正パターンの静電潜像を形成して中間転写ベルト１１６に連続的に転写することにより形成された複数の補正パターンのそれぞれについて、検出開始タイミングを算出する構成とすることができる。従って、各補正パターンについて正確に検出開始タイミングを算出することができる。
【００８８】
また、タイミング保持部１２は、感光体上で補正パターンの静電潜像の形成を開始する位置から、パターン検出部による補正パターンの検出を開始する位置までの距離情報の設定入力値を取得する距離設定部を有し、距離設定部により取得された距離情報の設定入力値に基づいて、検出開始タイミングを算出する構成とすることができる。例えば、温度上昇により画像形成装置の中間転写ベルト１１６が物理的に延びて、静電潜像の形成開始位置からパターン検出部１３による補正パターンの検出開始位置までの距離が変化した場合にも、距離設定部により取得された距離情報の設定値に基づいて正確に検出開始タイミングを算出することができる。
【００８９】
また、タイミング保持部１２は、感光体上で補正パターンの静電潜像の形成を開始する位置、感光体から中間転写体への補正パターンの静電潜像の転写を開始する位置、及びパターン検出部による補正パターンの検出を開始する位置により分割された画像形成装置の距離情報の設定入力値をそれぞれ取得する距離設定部を有し、距離設定部により取得された距離情報の設定値に基づいて、検出開始タイミングを算出する構成とすることができる。画像形成装置の距離情報が物理的に変化した場合にも、距離設定部により取得された距離情報の設定値に基づいて正確に検出開始タイミングを算出することができる。
【００９０】
また、補正部１４は、補正パターンに基づいて画像形成動作の補正を行う前に、速度検出部により検出された移動速度と、予め設定された画像形成速度とが略等しいか否かを判定する構成とすることができる。この判定の結果に基づいて正確に検出開始タイミングを決定することができる。
【００９１】
図７は、本発明の一実施形態に係る画像形成装置のハードウェア構成を示すブロック図である。
【００９２】
この画像形成装置は、コピー機能、ファックス機能、スキャナ機能などを含む複合的画像形成機能を備える複合機（ＭＦＰ）として構成されている。図７に示すように、このＭＦＰは、コントローラ２２１０とエンジン部２２６０とをＰＣＩ（Ｐｅｒｉｐｈｅｒａｌ＿Ｃｏｍｐｏｎｅｎｔ＿Ｉｎｔｅｒｃｏｎｎｅｃｔ）バスで接続した構成となる。コントローラ２２１０は、ＭＦＰ全体の制御、画像表示制御、各種制御、画像処理制御など、ＦＣＵＩ／Ｆ２２３０、操作表示部２２２０からの入力を制御するコントローラである。エンジン部２２６０は、ＰＣＩバスに接続可能な画像処理エンジンなどであり、例えば取得した画像データに対して誤差拡散やガンマ変換などの画像処理を実行する。
【００９３】
コントローラ２２１０は、ＣＰＵ４４５と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ−Ｓｐｅｃｉｆｉｃ＿Ｉｎｔｅｇｒａｔｅｄ＿Ｃｉｒｃｕｉｔ）２２１６と、ハードディスクドライブ２２１８とを有する。
【００９４】
コントローラ２２１０は、ノースブリッジ（ＮＢ）２２１３とＡＳＩＣ２２１６との間をＡＧＰ（Ａｃｃｅｌｅｒａｔｅｄ＿Ｇｒａｐｈｉｃｓ＿Ｐｏｒｔ）バス２２１５で接続した構成を有する。また、ＭＥＭ−Ｐ２２１２は、ＲＯＭ（Ｒｅａｄ−Ｏｎｌｙ＿Ｍｅｍｏｒｙ）４４６と、ＲＡＭ（Ｒａｎｄｏｍ＿Ａｃｃｅｓｓ＿Ｍｅｍｏｒｙ）４４７とを有する。
【００９５】
ＣＰＵ４４５は、ＭＦＰの全体制御を行うものであり、ＮＢ２２１３、ＭＥＭ−Ｐ２２１２及びＳＢ２２１４からなるチップセットを有し、このチップセットを介して他の機器と接続される。
【００９６】
ＮＢ２２１３は、ＣＰＵ４４５と、ＭＥＭ−Ｐ２２１２、ＳＢ２２１４、及びＡＧＰ２２１５とを接続するためのブリッジであり、ＭＥＭ−Ｐ２２１２に対する読み書きなどを制御するメモリコントローラと、ＰＣＩマスタ及びＡＧＰターゲットとを有する。
【００９７】
ＭＥＭ−Ｐ２２１２は、プログラムやデータの格納用メモリ、プログラムやデータの展開用メモリなどとして用いるシステムメモリであり、ＲＯＭ４４６とＲＡＭ４４７とからなる。ＲＯＭ４４６は、プログラムやデータの格納用メモリとして用いる読み出し専用のメモリである。ＲＡＭ４４７は、プログラムやデータの展開用メモリ、画像処理時の画像描画メモリなどとして用いる書き込み及び読み出し可能なメモリである。
【００９８】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【００９９】
ＡＳＩＣ２２１６は、マルチメディア情報処理用のハードウェア要素を有するマルチメディア情報処理用途向けのＩＣであり、ＡＧＰ２２１５、ＰＣＩバス、ＨＤＤ２２１８及びＭＥＭ−Ｃ２２１７をそれぞれ接続するブリッジの役割を有する。
【０１００】
このＡＳＩＣ２２１６は、ＰＣＩターゲット及びＡＧＰマスタと、ＡＳＩＣ２２１６の中核をなすアービタ（Ａｒｂｉｔｅｒ）と、ＭＥＭ−Ｃ２２１７を制御するメモリコントローラと、ハードウェアロジック等により画像データの回転などを行う複数のＤＭＡＣ（Ｄｉｒｅｃｔ＿Ｍｅｍｏｒｙ＿Ａｃｃｅｓｓ＿Ｃｏｎｔｒｏｌｌｅｒ）と、エンジン部２２６０との間でＰＣＩバスを介してＵＳＢ（Ｕｎｉｖｅｒｓａｌ＿Ｓｅｒｉａｌ＿Ｂｕｓ）２２４０、ＩＥＥＥ１３９４インタフェース２２５０が接続される。
【０１０１】
ＭＥＭ−Ｃ２２１７は、送信用画像バッファ、符号バッファとして用いるローカルメモリである。ＨＤＤ２２１８は、画像データの蓄積、プログラムの蓄積、フォントデータの蓄積、フォームの蓄積を行うための記録装置である。
【０１０２】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１０３】
操作表示部２２２０は、操作者が複合機（ＭＦＰ）に操作入力を行うためのハードウェア（操作部）であると共に、操作者が複合機（ＭＦＰ）から表示出力を得るためのハードウェア（表示部）である。ＡＳＩＣ２２１６に接続させた操作表示部２２２０は、操作者からの操作入力を受け付けて、受け付けた操作入力情報をＡＳＩＣ２２１６に送信する。また、操作表示部２２２０は、ＡＳＩＣ２２１６から出力される表示情報を受け付けて、受け付けた表示情報を表示部に出力して操作者に通知する。
【０１０４】
なお、本発明の一実施形態に係る画像補正部を組み込んだＭＦＰで実行される画像補正プログラムは、ＲＯＭ等に予め組み込まれて提供される。
【０１０５】
本発明の一実施形態に係る画像補正部を組み込んだＭＦＰで実行される画像形成動作補正プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【０１０６】
さらに、本発明の一実施形態に係る画像補正部を組み込んだＭＦＰで実行される画像形成動作補正プログラムを、インターネット等のネットワークに接続されたコンピュータ上に格納し、ネットワーク経由でダウンロードさせることにより提供するように構成しても良い。また、本発明の一実施形態に係る画像補正部を組み込んだＭＦＰで実行される画像形成動作補正プログラムをインターネット等のネットワーク経由で提供または配布するように構成しても良い。
【０１０７】
本発明の一実施形態に係る画像補正部を組み込んだＭＦＰで実行される画像形成動作補正プログラムは、上述した各部（パターン生成部１１、タイミング保持部１２、パターン検出部１３、および補正部１４など）を含むモジュール構成となっており、実際のハードウェアとしてはＣＰＵ（プロセッサ）が上記ＲＯＭから画像処理プログラムを読み出して実行することにより上記各部が主記憶装置上にロードされ、パターン生成部１１、タイミング保持部１２、パターン検出部１３、及び補正部１４などが主記憶装置上に生成されるように構成される。
【０１０８】
本発明は、上述した実施形態に限定されるものではなく、特許請求の範囲に記載された本発明の要旨の範囲内において、種々の変形・変更が可能である。
【図面の簡単な説明】
【０１０９】
【図１】本発明の一実施形態に係る画像形成装置の機能的構成を示すブロック図である。
【図２】本発明の一実施形態に係る画像形成装置に設けた画像形成部の構成を示すブロック図である。
【図３】中間転写ベルトに形成された補正パターンを検知センサで検出する様子を説明するための図である。
【図４】本発明の一実施形態に係る画像形成装置に設けた画像補正部の補正部の構成例を示すブロック図である。
【図５】副走査画像形成動作を説明するためのタイミングチャートである。
【図６】本発明の一実施形態に係る画像形成動作補正方法を説明するためのフローチャートである。
【図７】本発明の一実施形態に係る画像形成装置のハードウェア構成を示すブロック図である。
【符号の説明】
【０１１０】
１  画像形成部
１０  画像補正部
１１  パターン生成部
１２  タイミング保持部
１３  パターン検出部
１４  補正部
【図１】
2007179008.tif 000003
【図２】
2007179008.tif 000004
【図３】
2007179008.tif 000005
【図４】
2007179008.tif 000006
【図５】
2007179008.tif 000007
【図６】
2007179008.tif 000008
【図７】
2007179008.tif 000009